(57)【要約】【課題】水路において水生生物や両生類の生息場所を確保できる護岸構造を提供する。【解決手段】水路１０の片側または両側の法面に形成された緩斜面部１１、１３と、少なくとも緩斜面部の一部に敷設されたブロックマット２０とを有し、緩斜面部は、水路の一部を拡幅して形成され、法面において水路の流れ方向に平行な方向に隣接する部分１２、１４よりも傾斜が緩やかな斜面であり、ブロックマットは、可撓性を有する基材シート２１および該基材シート上に固定された複数のブロック２２を有する、護岸構造１００とする。【選択図】図２
2014231695.tif 000002
【特許請求の範囲】
【請求項１】
水路の片側または両側の法面に形成された緩斜面部と、少なくとも前記緩斜面部の一部に敷設されたブロックマットとを有し、
前記緩斜面部は、前記水路の一部を拡幅して形成され、前記法面において前記水路の流れ方向に平行な方向に隣接する部分よりも傾斜が緩やかな斜面であり、
前記ブロックマットは、可撓性を有する基材シートおよび該基材シート上に固定された複数のブロックを有する、護岸構造。
【請求項２】
前記水路の底面と前記緩斜面部とが間に段差を有することなく連続している、請求項１に記載の護岸構造。
【請求項３】
前記緩斜面部が、コンクリート製のＵ字型溝によって形成された前記水路の一部を拡幅して形成されている、請求項１または２に記載の護岸構造。
【請求項４】
前記水路の底面が流れ方向に段差を有しており、
可撓性を有する基材シートおよび該基材シート上に固定された複数のブロックを有するブロックマットが、前記段差を覆うように敷設されている、請求項１乃至３のいずれか１項に記載の護岸構造。
【請求項５】
水路の一部を拡幅することによって、前記水路の片側または両側の法面において、前記水路の流れ方向に隣接する部分よりも傾斜が緩やかな斜面である緩斜面部を形成する緩斜面部形成工程と、
少なくとも前記緩斜面部の一部に、可撓性を有する基材シートおよび該基材シート上に固定された複数のブロックを有するブロックマットを敷設するブロックマット敷設工程と、
を有する、護岸構造の施工方法。
【請求項６】
前記緩斜面部形成工程において、
前記水路の底面と前記緩斜面部とが間に段差を有することなく連続するように前記緩斜面部を形成する、請求項５に記載の護岸構造施工方法。
【請求項７】
前記緩斜面部形成工程が、コンクリート製のＵ字型溝によって形成された前記水路の一部を拡幅して前記緩斜面部を形成する工程である、請求項５または６に記載の護岸構造の施工方法。
【請求項８】
前記水路の底面が流れ方向に段差を有しており、
可撓性を有する基材シートおよび該基材シート上に固定された複数のブロックを有するブロックマットを、前記段差を覆うように敷設する工程をさらに有する、請求項５乃至７のいずれか１項に記載の護岸構造の施工方法。
【発明の詳細な説明】
【技術分野】
【０００１】
本発明は護岸構造および護岸構造の施工方法に関する。
【背景技術】
【０００２】
近年、農業生産の合理化や機械化を目的として、圃場の区画整理や田圃の乾田化が進められてきた。このような圃場や田圃の水路における護岸工事では、排水機能の向上を重要視する。従って、水路の法面をコンクリートで覆うことが基本である（特許文献１）。このように水路をコンクリートで覆うことによって、耐侵食性が向上するとともに水路内の水の流れが速くなる。また、中小河川や水路では漏水を防止するため、法面に加えて底面もコンクリートで固めた３面コンクリート張り構造が多く採用されていた。さらに、このような護岸工事が行われた水路は、直線状にすることによって水が流れやすくなるようにされていた。
【０００３】
上記のような護岸工事が行われる前は水路と田圃とが有機的な繋がりを持っており、メダカやドジョウ、ナマズ等の水生生物や蛙等の両生類は水路や田圃を生息環境としていた。しかしながら、上記のような護岸工事の結果、これらの水生生物や両生類は生息場所を失い、その個体数を大きく減少させている。すなわち、水の流れが速くなった水路では、水路内に生息していた水生生物が速い水流に耐えられずに流されてしまい、水路内に留まることができない。また、水路と田圃の水位差が大きくなることによって、水路から田圃へと魚が遡上できず、田圃内を産卵場所とすることができない。水路内で産卵しようにも、水路内には産卵場所となる水草がなく、流速も速いため産卵は困難である。また、護岸工事では、水路をコンクリート製のＵ字型溝で構成し、水路の両側の法面を垂直にすることが多い。このような垂直な法面では水路内と陸地を棲みかとする両生類（蛙等）が這い上がれない。さらに、水路がコンクリート張りにされることで、水生生物の隠れ場所や産卵場所となる水生植物が生えず、それらの水生生物の繁殖が妨げられていた。このような理由から、従来の護岸工事が完了した箇所からは水生生物や両生類の種の数および生息数が減少し、生態系の単純化が生じていた。
【０００４】
上記問題に鑑みて、水生生物の生息場所を確保しつつ護岸できる構造の開発が望まれている。水生生物の生息場所を確保しつつ護岸できる構造として、これまでには、魚巣を設けた護岸ブロック（特許文献２）や水路の側面にメッシュ状部材を配置して生物の生息領域の確保を図る護岸構造（特許文献３）などが提案されている。
【先行技術文献】
【特許文献】
【０００５】
【特許文献１】特開２００６−８３５７１号公報
【特許文献２】特開平１０−４８１９号公報
【特許文献３】特開２００５−９０９８号公報
【発明の概要】
【発明が解決しようとする課題】
【０００６】
しかしながら、これまでに提案されている護岸構造では、水生生物や両生類にとって十分な環境保全はなされていなかった。
【０００７】
そこで本発明は、水路において水生生物や両生類の生息場所を確保できる護岸構造および該護岸構造の施工方法を提供することを課題とする。
【課題を解決するための手段】
【０００８】
以下、本発明について説明する。
【０００９】
本発明の第１の態様は、水路の片側または両側の法面に形成された緩斜面部と、少なくとも緩斜面部の一部に敷設されたブロックマットとを有し、緩斜面部は、水路の一部を拡幅して形成され、法面において水路の流れ方向に平行な方向に隣接する部分よりも傾斜が緩やかな斜面であり、ブロックマットは、可撓性を有する基材シートおよび該基材シート上に固定された複数のブロックを有する、護岸構造である。
【００１０】
本発明において、「水路」とは、広義に水が流れる路を意味し、水が流れるように人工的に形成された水路および自然に水が流れている天然の河川を含む概念である。また、「流れ方向」とは、水路において水が流れている方向を意味する。
【００１１】
上記本発明の第１の態様において、水路の底面と緩斜面部とが間に段差を有することなく連続していることが好ましい。
【００１２】
本発明において「段差」とは、水生生物や両生類が遡上または這い上がることができない程度の段差を意味する。すなわち、「段差を有することなく」とは、水生生物や両生類が遡上または這い上がることができない程度の段差がないことを意味する。
【００１３】
また、上記本発明の第１の態様は、水路がコンクリート製のＵ字型溝によって形成されている場合にも好適である。すなわち、コンクリート製のＵ字型溝によって形成された水路の一部を拡幅して緩斜面部を形成することができる。
【００１４】
さらに、上記本発明の第１の態様は、水路の底面が流れ方向に段差を有している場合、可撓性を有する基材シートおよび該基材シート上に固定された複数のブロックを有するブロックマットが該段差を覆うように敷設されていることが好ましい。
【００１５】
本発明の第２の態様は、水路の一部を拡幅することによって、水路の片側または両側の法面において、水路の流れ方向に隣接する部分よりも傾斜が緩やかな斜面である緩斜面部を形成する緩斜面部形成工程と、少なくとも緩斜面部の一部に、可撓性を有する基材シートおよび該基材シート上に固定された複数のブロックを有するブロックマットを敷設するブロックマット敷設工程と、を有する、護岸構造の施工方法である。
【００１６】
上記本発明の第２の態様は、緩斜面部形成工程において、水路の底面と緩斜面部とが間に段差を有することなく連続するように緩斜面部を形成することが好ましい。
【００１７】
また、上記本発明の第２の態様は、水路がコンクリート製のＵ字型溝によって形成されている場合、緩斜面部形成工程が該コンクリート製のＵ字型溝によって形成された水路の一部を拡幅して緩斜面部を形成する工程であることが好ましい。
【００１８】
さらに、上記本発明の第２の態様は、水路の底面が流れ方向に段差を有している場合、可撓性を有する基材シートおよび該基材シート上に固定された複数のブロックを有するブロックマットを、段差を覆うように敷設する工程をさらに有することが好ましい。
【発明の効果】
【００１９】
本発明によれば、水路において水生生物や両生類の生息場所を確保できる護岸構造を提供することができる。
【図面の簡単な説明】
【００２０】
【図１】護岸構造１００の平面図である。
【図２】図２（Ａ）は図１に示したＩＩＡ−ＩＩＡに沿った護岸構造１００の断面図である。図２（Ｂ）は図１に示したＩＩＢ−ＩＩＢに沿った護岸構造１００の断面図である。
【図３】ブロックマット２０の平面図である。
【図４】図３に示したＩＶ−ＩＶに沿ったブロックマット２０の断面図である。
【図５】護岸構造１００’の平面図である。
【図６】図６（Ａ）は従来の水路３０の流れ方向に沿った断面図である。図６（Ｂ）はブロックマット２０を底面に敷設した水路１０の流れ方向に沿った断面図である。
【図７】護岸構造２００の平面図である。
【図８】図８（Ａ）は図７に示したＶＩＩＩＡ−ＶＩＩＩＡに沿った護岸構造２００の断面図である。図８（Ｂ）は図７に示したＶＩＩＩＢ−ＶＩＩＩＢに沿った護岸構造２００の断面図である。
【発明を実施するための形態】
【００２１】
本発明の上記作用および利得は、次に説明する発明を実施するための形態から明らかにされる。以下本発明を図面に示す実施形態に基づき説明する。ただし本発明は当該実施形態に限定されるものではない。なお、以下に示す図は構成を概念的に示したものであり、各構成要素の大きさや形状を正確に示すものではない。
【００２２】
図１は護岸構造１００の平面図である。図１において、紙面右側から左側に向かう方向が水路１０において水が流れる方向（流れ方向）、紙面上下方向が水路１０の幅方向、紙面奥／手前方向が鉛直方向である。
また、図２（Ａ）は図１に示したＩＩＡ−ＩＩＡに沿った護岸構造１００の断面図であり、図２（Ｂ）は図１に示したＩＩＢ−ＩＩＢに沿った護岸構造１００の断面図である。図２（Ａ）および図２（Ｂ）において、紙面手前から奥に向かう方向が水路１０の流れ方向、紙面上下方向が鉛直方向、紙面左右方向が水路１０の幅方向である。
【００２３】
護岸構造１００は、緩斜面部１１、１３と少なくとも緩斜面部１１、１３の一部に敷設されたブロックマット２０とを有している。
緩斜面部１１、１３は、水路１０の一部を拡幅して形成された斜面である。緩斜面部１１、１３は、水路１０の法面において水路１０の流れ方向に平行な方向に隣接する部分（法面）１２、１４よりも傾斜が緩やかな斜面である。本形態例では、緩斜面部１１、１３は水路１０の両側の法面に形成されている。
また、本形態例では、ブロックマット２０は緩斜面部１１、１３を含む水路１０の法面全体および底面１５に敷設されている。護岸構造１００に用いられるブロックマット２０は全て同様の構成とすることができるが、わかりやすさのため、図１および図２では緩斜面部１１、１３に敷設されたブロックマット２０については括弧書きで２０ａとし、緩斜面部１１、１３以外の法面に敷設されたブロックマット２０については括弧書きで２０ｂとしている。
以下、護岸構造１００を構成する要素について詳細に説明する。
【００２４】
図３は、ブロックマット２０の平面図である。図４は図３に示したＩＶ−ＩＶに沿ったブロックマット２０の断面図である。
【００２５】
ブロックマット２０は可撓性を有する基材シート２１と該基材シート２１に固定された複数のブロック２２とを備えている。ブロックマット２０は可撓性を有する基材シート２１を用いて構成されることによって、田圃の畦等の形状に追従するように敷設することができる。
【００２６】
基材シート２１は可撓性を有するシートであって、従来のブロックマットに用いられるものを特に限定されることなく用いることができる。基材シート２１の具体例としては、ポリプロピレンやポリエステル、ナイロン、ビニロン、アクリル、ポリウレタン等の合成繊維による短繊維などを含む不織布を挙げることができる。ただし、ブロック２２がコンクリートで構成される場合、基材シート２１は少なくともブロック２２に接する側がポリプロピレンを含むことが好ましく、ポリプロピレンからなる不織布によって構成されることがより好ましい。基材シート２１がポリプロピレンを含むことによって、基材シート２１がコンクリートのアルカリ成分によって劣化することを抑制できる。
【００２７】
なお、基材シート２１は、基材シート２１とブロック２２とを一体化させた状態で吊り上げたりして取り扱うことが可能となるように適正な引張強度を備えていることが好ましい。かかる観点から、基材シート２１は不織布に補強用の芯材となる織布を挿入して構成されることが好ましい。このような構造の基材シート２１は、例えば、抄造機で不織布を抄造する際に織布あるいは長繊維を包み込むことにより不織布と織布あるいは長繊維とを一体化し、ニードルパンチ加工を施して補強することによって製造できる。
【００２８】
基材シート２１の厚さは特に限定されないが、例えば２ｍｍ以上５ｍｍ以下程度とすることができる。基材シート２１の厚さを２ｍｍ以上とすることによって、引張強度を確保しやすくなる。一方、基材シート２１の厚さを５ｍｍ以下とすることによって、基材シート２１にブロック２２を固定する際にステープルを打ち込みやすくなる。
【００２９】
基材シート２１の大きさは特に限定されないが、通常、幅（図３の左右方向の長さ）は４０ｃｍ以上２ｍ以下程度であり、長さ（図３の上下方向の長さ）は１ｍ以上１０ｍ以下程度である。
ブロックマット２０を敷設する際に、ブロックマット２０を吊り上げる器具を取り付ける（挟む）ために基材シート２１の長手方向両端部にはブロック２２が備えられていない部分（挟み代）２１ａ、２１ｂが設けられていることが好ましい。挟み代２１ａ、２１ｂの幅ｗ１、ｗ２は、上記器具を取り付けられる大きさであれば特に限定されないが、例えば４００ｍｍ以上６００ｍｍ以下程度とすることができる。
また、複数のブロックマット２０を幅方向（図３の左右方向）に並べて敷設する場合、基材シート２１の一部を重ねて敷設することが好ましい。従って、基材シート２１の幅方向端部にはブロック２２が備えられていない部分（重ね代）２１ｃが設けられていることが好ましい。重ね代２１ｃの幅ｗ３は特に限定されないが、例えば２００ｍｍ以上４００ｍｍ以下とすることができる。
【００３０】
ブロック２２としては、従来のブロックマットに用いられていたものを特に限定することなく用いることができる。ブロック２２は、例えばコンクリートによって構成することができる。また、ブロック２２の大きさは特に限定されず、通常、平面視（図３に現れる面）における一辺が１５ｃｍ以上５０ｃｍ以下程度であり、高さが４ｃｍ以上３０ｃｍ以下程度である。
また、ブロック２２の配列パターンは特に限定されない。ただし、ブロックマット２０に可撓性を備えさせるため、隣接するブロック２２同士の間には５ｍｍ以上の隙間を設けることが好ましい。
【００３１】
基材シート２１にブロック２２を固定する方法は特に限定されない。例えば、鋼製のステープルを基材シート２１の底面側からブロック２２に向けて打ち込む方法などが挙げられる。
【００３２】
また、ブロックマット２０を敷設した後に固定する方法も特に限定されない。例えば、クレーンなどで基材シート２１を掴んでブロックマット２０を持ち上げて所定の位置に移動させて敷設し、その後、基材シート２１を貫通させるようにしてアンカーピンなどの固定部材を打ち込むことによって、ブロックマット２０を所定の位置に固定させることができる。
【００３３】
このようなブロックマット２０によれば、敷設した箇所の侵食を防止することができる。また、ブロック２２同士の空隙から水生植物や植物の植生が可能であり、水域および陸域の両方で緑化を図ることができる。
【００３４】
次に、図２に戻って緩斜面部１１、１３について説明する。緩斜面部１１、１３は、水路１０の一部を拡幅することによって形成できる。すなわち、水路１０の元々あった法面の一部を削ることによって、緩斜面部１１、１３を形成することができる。このように緩斜面部１１、１３を形成することによって、緩斜面部１１、１３は拡幅されていない法面１２、１４よりも傾斜が緩やかな斜面とすることができる。従って、緩斜面部１１、１３は水路１０の法面において水路１０の流れ方向に平行な方向に隣接する部分（法面）１２、１４よりも傾斜が緩やかな斜面となる。
【００３５】
緩斜面部１１、１３は上記のように傾斜が緩やかになるように形成されている。このような緩やかな斜面を水路１０の法面に形成することによって、蛙等の両生類が水路１０から岸へと這い上がりやすくなり、両生類の生息場所を確保しやすくなる。
【００３６】
上記のように緩斜面部１１、１３を形成するとき、川底１５と緩斜面部１１、１３とが間に段差を有することなく連続するように緩斜面部１１、１３を形成することが好ましい。このように水路の断面形状を円弧状に近い形状とすることによって、蛙等の両生類が水路１０から岸へと這い上がりやすくなり、両生類の生息場所を確保しやすくなる。
【００３７】
上記のように水路１０の幅を部分的に拡張して緩斜面部１１、１３を形成することによって、水路１０の流れ方向に直交する断面の形状が所々変化する（図１参照。水路１０の幅を部分的に拡張することによって、川幅が変化する。）。その結果、水路１０内の水の流れに変化をつけて淀みを生じさせることができる。この淀みにメダカ等の水生生物が生息することができるようになり、水生生物の生息場所を確保しやすくなる。
【００３８】
ただし、上記のように緩斜面部１１、１３を形成すると、緩斜面部１１、１３に沿って水路１０内の水の流れが渦を巻くことになり、緩斜面部１１、１３が水際から浸食されやすくなる。本発明によれば、緩斜面部１１、１３にブロックマット２０を敷設しているので、このような法面の浸食を防止することができる。
【００３９】
上述したように、ブロックマット２０を緩斜面部１１、１３に敷設することによって、緩斜面部１１、１３の侵食を防止することができ、且つ、水域および陸域の両方で緑化を図ることができる。また、上述したように、緩斜面部１１、１３を形成することによって、水生生物や両生類の生息場所を確保することができる。従って、緩斜面部１１、１３を形成して緩斜面部１１、１３にブロックマット２０を敷設することによって、緩斜面部１１、１３の侵食を防止しつつ、緩斜面部１１、１３を形成するだけ、あるいはブロックマット２０を敷設するだけよりも、水生生物や両生類の生息場所を確保しやすくなる。
【００４０】
また、緩斜面部１１、１３にブロックマット２０を敷設することによって、以下のような効果も奏する。法面の浸食防止等の目的で緩斜面部１１、１３より下流側の法面にブロックマット２０を敷設している場合、該ブロックマット２０の上流側端部（以下、「小口部」という。）が露出していると、水路１０を流れる水が小口部に衝突してブロックマット２０がめくれ上がる場合がある。このとき、緩斜面部１１、１３から連続して緩斜面部１１、１３より下流の法面にもブロックマット２０を敷設することによって、緩斜面部１１、１３より下流側の法面に敷設されたブロックマット２０のめくれを防止することができる。
【００４１】
なお、図１に例示した護岸構造１００では水路１０の両側の法面全体を覆うようにブロックマット２０を敷設しているが、ブロックマット２０は水路の法面のうち少なくとも緩斜面部の一部に敷設すればく、緩斜面部は水路の一方の法面にのみ形成してもよい。ただし、護岸の観点からは、水路の法面全体をブロックマット２０で覆うことが好ましい。
【００４２】
図５は、護岸構造１００’の平面図である。図５に例示した護岸構造１００’では、ブロックマット２０が緩斜面部にのみ敷設されている。図５に例示したように、水路１０の法面のうち一部（緩斜面部にのみ）にブロックマット２０を敷設してもよく、緩斜面部を一方の法面に形成して該緩斜面部が形成された側の法面にのみブロックマット２０を敷設してもよい。
【００４３】
また、ブロックマット２０は水路１０の法面だけでなく、水路１０の底面１５に敷設してもよい。特に、水路１０の底面１５が流れ方向に段差を有している場合は、該段差を覆うようにブロックマットが敷設されていることが好ましい。
【００４４】
図６（Ａ）は従来の水路３０の流れ方向に沿った断面図である。図６（Ｂ）はブロックマット２０を底面に敷設した水路１０の流れ方向に沿った断面図である。
【００４５】
洪水防止や農業用の水を利用するためには水路の底面の勾配を緩やかにする必要があり、従来の水路では図６（Ａ）に示したように底面に段差（落差工）３０を設けて急な流れを緩やかに調整することが行われていた。しかしながら、このように底面に段差を設けると、魚が遡上できなくなるなどの問題があった。
【００４６】
傾斜地の水路等において水路の勾配が急なため落差工を設ける必要がある場合、図６（Ｂ）に示したように水路１０の底面１５を掘り込んでブロックマット２０を敷設して水路１０内の段差を解消することにより、水生生物の水路１０内の移動を妨げにくくなる。このように水路１０の底面が流れ方向に段差を有している場合、該段差を覆うようにブロックマット２０を敷設することによって、水路１０内の段差を最小限として魚が遡上しやくすることができる。
【００４７】
また、ブロックマット２０を水路１０の底面１５に敷設することによって、以下の効果を奏することもできる。すなわち、ブロックマット２０は複数のブロック２０を備えているので表面には適度な凹凸があり、これによりブロックマット２０近傍の流速を低下させることができる。また、ブロックマット２０の隣り合うブロック２２間には空隙が設けてあり、この隙間には水草が繁茂することができる。このように繁茂した水草は、ブロック２２の凹凸とともに水路を流れる水の速度を低減する効果があり、水生生物の生息に適した環境を実現することができる。また、ブロック２２による凹凸に土砂が堆積しやすくなり、このようにして堆積した土砂をナマズ等の水生生物の越冬場所とすることができる。
【００４８】
次に、上述した護岸構造１００の施工方法について説明する。
護岸構造１００の施工方法は、水路１０の一部を拡幅することによって、水路１０の片側または両側の法面において、水路１０の流れ方向に隣接する部分よりも傾斜が緩やかな斜面である緩斜面部１１、１３を形成する緩斜面部形成工程と、少なくとも緩斜面部１１、１３の一部に、可撓性を有する基材シート２１および該基材シート２１上に固定された複数のブロック２２を有するブロックマット２０を敷設するブロックマット敷設工程と、を有する。
【００４９】
緩斜面部形成工程は、適切な手段によって水路１０を拡幅する工程である。水路１０の幅方向一方の法面または両方の法面を削ることによって、水路１０を拡幅し、緩斜面部１１、１３を形成することができる。このとき、水路１０の底面１５と緩斜面部１１、１３とが間に段差を有することなく連続するように緩斜面部１１、１３を形成することが好ましい。このようにして緩斜面部１１、１３を形成することによって、水路１０の断面形状が円弧状に近い形状となり、蛙等の両生類が水路１０から岸へと這い上がりやすくなる。その結果、両生類の生息場所を確保しやすくなる。
【００５０】
ブロックマット敷設工程は、ブロックマット２０を適切な手段で所定の場所まで運び、敷設する工程である。ブロックマット２０は少なくとも緩斜面部１１、１３の一部に敷設すればよいが、水路１０の法面全体に敷設することが好ましく、水路１０の底面１５にも敷設することが好ましい。特に、水路１０の底面１５が流れ方向に段差を有している場合は、該段差を覆うようにブロックマット２０を敷設することが好ましい。水路１０の底面１５にブロックマット２０を敷設することによって、上述したように水生生物の生息場所を確保しやすくなる。
【００５１】
次に、他の形態について説明する。
図７は護岸構造２００の平面図である。図７において、紙面右側から左側に向かう方向が水路２１０において水が流れる方向（流れ方向）、紙面上下方向が水路２１０の幅方向、紙面奥／手前方向が鉛直方向である。
また、図８（Ａ）は図７に示したＶＩＩＩＡ−ＶＩＩＩＡに沿った護岸構造２００の断面図であり、図８（Ｂ）は図７に示したＶＩＩＩＢ−ＶＩＩＩＢに沿った護岸構造２００の断面図である。図８（Ａ）および図８（Ｂ）において、紙面手前から奥に向かう方向が水路２１０の流れ方向、紙面上下方向が鉛直方向、紙面左右方向が水路２１０の幅方向である。
【００５２】
護岸構造２００は、コンクリート製のＵ字型溝２２０からなる既設の水路の一部を切り開いて拡幅して形成された緩斜面部２１１、２１３と、該緩斜面部２１１、２１３に敷設されたブロックマット２０と、を備えている。緩斜面部２１１、２１３は、水路２１０の法面において水路２１０の流れ方向に平行な方向に隣接する部分よりも傾斜が緩やかな斜面である。本形態例では、緩斜面部２１１、２１３は水路２１０の両側の法面に形成されているが、上述したように緩斜面部は水路の片側の法面に形成されていてもよい。
【００５３】
緩斜面部２１１、２１３は、水路２１０の一部を拡幅することによって形成できる。すなわち、水路２１０を構成していたコンクリート製のＵ字型溝２２０の一部を取り壊して法面を削ることによって、緩斜面部２１１、２１３を形成することができる。このように緩斜面部２１１、２１３を形成することによって、緩斜面部２１１、２１３は拡幅されていない法面よりも傾斜が緩やかな斜面とすることができる。従って、緩斜面部２１１、２１３は水路２１０の法面において水路２１０の流れ方向に平行な方向に隣接する部分よりも傾斜が緩やかな斜面となる。
【００５４】
コンクリート製のＵ字型溝によって形成された水路では、上述したように水生生物や両生類の生息が困難である。護岸構造２００によれば、このようなコンクリート製のＵ字型溝２２０によって形成された既存の水路２１０の一部を拡幅して緩斜面部２１１、２１３を形成することによって、蛙等の両生類が水路２１０から岸へと這い上がりやすくなり、両生類の生息場所を確保しやすくなる。
【００５５】
上記のように水路２１０の幅を部分的に拡張して緩斜面部２１１、２１３を形成することによって、水路２１０の流れ方向に直交する断面の形状が所々変化する。その結果、水路２１０内の水の流れに変化をつけて淀みを生じさせることができる。この淀みにメダカ等の水生生物が生息することができるようになり、水生生物の生息場所を確保しやすくなる。
【００５６】
上記のように緩斜面部２１１、２１３を形成するとき、川底２１５と緩斜面部２１１、２１３とが間に段差を有することなく連続するように緩斜面部２１１、２１３を形成することが好ましい。このように水路の断面形状を円弧状に近い形状とすることによって、蛙等の両生類が水路２１０から岸へと這い上がりやすくなり、両生類の生息場所を確保しやすくなる。
【００５７】
また、護岸構造１００と同様に、ブロックマット２０は水路２１０の法面だけでなく、水路２１０の底面２１５に敷設してもよい。
【００５８】
このような護岸構造２００は、コンクリート製のＵ字型溝２２０の一部を取り壊して拡幅することによって緩斜面部２１１、２１３を形成した後、護岸構造１００と同様にしてブロックマット２０を敷設することによって施工することができる。
【符号の説明】
【００５９】
１０  水路
１１、１３  緩斜面部
１２、１４  法面
１５  底面
２０  ブロックマット
２１  基材シート
２２  ブロック
１００  護岸構造
２００  護岸構造
２１０  水路
２２０  Ｕ字型溝
２１１、２１３  緩斜面部
２１５  底面
【図１】
2014231695.tif 000003
【図２】
2014231695.tif 000004
【図３】
2014231695.tif 000005
【図４】
2014231695.tif 000006
【図５】
2014231695.tif 000007
【図６】
2014231695.tif 000008
【図７】
2014231695.tif 000009
【図８】
2014231695.tif 000010